【事件の表示】
　平成１０年特許願第３３１４９３号「液晶表示装置」拒絶査定不服審判事件〔平成１１年　８月１７日出願公開、特開平１１−２２３８０８〕について、次のとおり審決する。
【結　論】
　本件審判の請求は、成り立たない。
【理　由】
１．手続の経緯・本願発明
　本願は、平成１０年１１月２０日（優先権主張　平成９年１１月２０日）の出願であって、平成１５年８月１２日付で拒絶査定がなされ、これに対し、平成１５年９月１８日付で拒絶査定に対する審判請求がなされたものであって、その請求項に係る発明は、平成１５年７月２２日付手続補正書によって補正された明細書及び図面の記載からみて、その特許請求の範囲の請求項１〜５に記載された事項によって特定されるとおりのものと認められるところ、請求項１に係る発明は次のものである。
「【請求項１】液晶駆動用の電極を備えた一対の基板間に液晶が封入されてなり、Ｒ、Ｇ、Ｂ信号に基づいて液晶を駆動し、Ｒ光成分、Ｇ光成分、Ｂ光成分の各透過率を制御することでカラー表示を行う電圧制御複屈折型の液晶表示装置であって、
　マトリクス状に複数の画素を備える表示部と、該表示部の対応する前記画素に対し、表示内容に応じた駆動電圧信号を供給する表示部駆動回路とを備え、
　前記一対の基板の内の第１基板上に設けられる液晶駆動用の電極は、前記画素毎に個別に形成されたマトリクス状の画素電極であり、
　能動層に多結晶シリコン層を利用した多結晶シリコン薄膜トランジスタが、対応する前記画素電極に接続され、
　該表示部駆動回路は、Ｒ用、Ｂ用、Ｇ用毎に存在する前記駆動電圧信号の液晶の最大透過率を達成する透過率最大電圧レベルを決定する非反転駆動電圧信号及び反転駆動電圧信号のそれぞれの最大絶対値レベルを、それぞれ、Ｒ用、Ｂ用、Ｇ用毎の透過率特性に応じて決まる電圧に制限する最大透過率電圧リミット手段を備え、
　前記最大透過率電圧リミット手段によって透過率最大電圧レベルの制限された前記非反転及び反転駆動電圧信号を所定周期毎に切り替えて前記表示部の対応する画素に供給することを特徴とする液晶表示装置。」（以下、「本願発明」という。）
　
２．刊行物の記載事項
　原査定の拒絶の理由に引用したこの出願前公知の刊行物である特開平８−１６１３４号公報（以下、「刊行物１」という。）には、下記の事項が記載されている。
「【請求項１】Ｒカラーフィルタと、該Ｒカラーフィルタに対向する第１の信号電極と、さらに前記第１の信号電極に対向する走査電極と、前記両電極間に封入されている液晶と、からなるＲ画素と、Ｇカラーフィルタと、該Ｇカラーフィルタに対向する第２の信号電極と、さらに前記第２の信号電極に対向する走査電極と、前記両電極間に封入されている液晶と、からなるＧ画素と、Ｂカラーフィルタと、該Ｂカラーフィルタに対向する第３の信号電極と、さらに前記第３の信号電極に対向する走査電極と、前記両電極間に封入されている液晶と、からなるＢ画素と、からなるＲ、Ｇ、Ｂの各画素をそれぞれ複数有し、かつ、該複数の各画素は、少なくとも一方が透明である一対の基板を具備する液晶表示パネルであって、前記第１の信号電極と、前記第２の信号電極と、前記第３の信号電極と、前記各走査電極と、に対して、所定の表示駆動信号と所定の走査駆動信号に基づく、所定の実効電圧を供給する場合において、前記Ｒ、Ｇ、Ｂの各画素における透過率が、それぞれ等しい値になるような、それぞれ異なる実効電圧を供給する電圧供給手段を具備したことを特徴とする液晶駆動装置。・・・
【０００１】
【産業上の利用分野】本発明は、液晶駆動装置に関し、詳細には、カラー液晶の白バランスを適切に表示駆動する液晶駆動装置に関する。
【０００２】
【従来の技術】マルチプレックス駆動を行う液晶表示装置は、一般に、その液晶表示パネルは、複数の信号ラインと複数の走査ラインがマトリックス状に形成され、各信号ラインと走査ラインとの交点に液晶からなる表示素子が形成されている。
・・・
【０００６】その結果、カラー液晶表示装置において、Ｒ、Ｇ、Ｂに同じ実効電圧Ｖｒｍｓを印加すると、Ｒ、Ｇ、Ｂの各波長域でγ特性が異なり、液晶の全オン／オフ（特に、オン側）時の白の色度座標が適正な位置からずれる結果となる。
【０００７】そこで、従来の液晶駆動装置は、例えば、ＴＦＴ型液晶表示パネルをアナログ駆動するものにあっては、Ｒ、Ｇ、Ｂのアナログの表示データの値をＲ、Ｇ、Ｂ毎に調整して、白の色度座標が適正な位置にくるようにしており、時分割駆動型の液晶駆動装置では、何等の調整を行っていない。・・・
【００１８】
【実施例】以下、本発明の好適な実施例を図を参照して説明する。図１〜図４は、本発明の液晶駆動装置の一実施例を示す図である。
【００１９】まず、本実施例の構成を説明する。図１は、本実施例の液晶駆動装置の信号側駆動回路１のＲ、Ｇ、Ｂ各信号ライン１本分の回路構成を示す図であり、図１の信号側駆動回路１は、図２に示す液晶表示パネル１０のＲ、Ｇ、Ｂの先頭の１本の信号ラインＳＲ１、信号ラインＳＧ１及び信号ラインＳＢ１に接続される。
【００２０】すなわち、液晶表示パネル１０は、図２に示すように、本実施例では、一対の透明ガラス基板１１ａ、１１ｂ間に液晶１２が封入され、当該下側透明ガラス基板１１ｂの上側透明ガラス基板１１ａ側には、Ｒ、Ｇ、Ｂのカラーフィルタ１３Ｒ、１３Ｇ、１３Ｂを介してＲ、Ｇ、Ｂの複数の信号ラインＳＲ１〜ＳＲｎ、ＳＧ１〜ＳＧｎ、ＳＢ１〜ＳＢｎが形成されている。これらのカラーフィルタ１３Ｒ、１３Ｇ、１３Ｂ及び信号ラインＳＲ１〜ＳＲｎ、ＳＧ１〜ＳＧｎ、ＳＢ１〜ＳＢｎを覆うように、下側配向膜１４が形成されている。
【００２１】また、上側透明ガラス基板１１ａの下側透明ガラス基板１１ｂ側には、走査ライン１５が形成されており、この走査ライン１５を覆うように、上側配向膜１６が形成されている。
【００２２】さらに、上記上側透明ガラス基板１１ａ及び下側透明ガラス基板１１ｂの外側には、それぞれ上側偏光板１７ａ及び下側偏光板１７ｂが配設されている。
【００２３】そして、この液晶表示パネル１０に使用されている液晶１２は、例えば、ＳＴＮ型カラー液晶のノーマリブラックものが使用されている。
・・・
【００８０】次に、本実施例の動作を説明する。
【００８１】液晶は、上述のように、Ｒ、Ｇ、Ｂのそれぞれのγ特性が異なり、Ｒ、Ｇ、Ｂの各波長域での実効電圧Ｖｒｍｓと透過率Ｔとの関係が、図５に示したように、異なることとなる。
【００８２】特に、本実施例の液晶表示パネル１０の液晶として、上述のように、ノーマリブラックを使用すると、そのオン時の透過率Ｔが、図５に示したように、Ｒ、Ｇ、Ｂで異なることが分かる。
【００８３】このように、オン時の透過率Ｔが異なると、液晶表示パネル１０のＲ、Ｇ、Ｂの各信号ラインＳＲ１〜ＳＲｎ、信号ラインＳＧ１〜ＳＧｎ及び信号ラインＳＢ１〜ＳＢｎに同じ電圧値の表示駆動信号ＳＲ、ＳＧ、ＳＢを印加すると、走査駆動信号Ｃｎが一定の場合、Ｒ、Ｇ、Ｂの全ての信号ラインＳＲ１〜ＳＲｎ、信号ラインＳＧ１〜ＳＧｎ及び信号ラインＳＢ１〜ＳＢｎに同じ値の実効電圧Ｖｒｍｓ、例えば、図５の電圧値ＢＶが印加され、図５から分かるように、Ｂ、Ｇ、Ｒの大きさの順（Ｂ＞Ｇ＞Ｒ）で透過率Ｔが異なる結果となる。
【００８４】その結果、液晶表示パネル１０のオン時にＲ、Ｇ、Ｂで透過率Ｔが異なることとなり、全白時に青みがかったり、赤みがかったりする。
【００８５】そこで、本実施例では、液晶表示パネル１０の液晶の実効電圧Ｖｒｍｓ−透過率Ｔ曲線が、図５に示すように、Ｂ、Ｇ、Ｒの大きさの順（Ｂ＞Ｇ＞Ｒ）で異なる場合、透過率Ｔの最も低いＲの表示駆動信号ＳＲによる実効電圧Ｖｒｍｓの値を基準として、残りのＢ、Ｇの表示駆動信号ＳＧ、ＳＢによる実効電圧の値をＲの透過率Ｔとの差に応じて、小さくすることにより、オン時のＲ、Ｇ、Ｂの全ての透過率Ｔを同じに調整している。
・・・
【０１１６】・・・このようにしてパルス幅信号φG及びパルス幅信号φBを設定することより、図３及び図４に示すように、上記表示駆動信号ＳG及び表示駆動信号ＳBの実質的なパルス幅を調整して、液晶表示パネル１０のＲ、Ｇ、Ｂの各液晶に印加する実効電圧ＶＲrms、実効電圧ＶＧrms及び実効電圧ＶＢrmsをＲ、Ｇ、Ｂの透過率Ｔが全て同じ値となる電圧値に調整することができる。
・・・
【０１１９】その結果、全オン時の白の色度座標を適正な位置に調整することができ、白時のカラー表示を適切なものに調整することができる。
【０１２０】また、本実施例によれば、・・・液晶のγ特性を考慮して、全オン時の白の色度座標をより適切なものに調整することができ、より一層適切なカラー表示を行わせることができる。
【０１２１】さらに、本実施例によれば、Ｒ、Ｇ、Ｂの各表示駆動信号ＳＲ、表示駆動信号ＳＧ及び表示駆動信号ＳＢの印加タイミングを変化させることにより、Ｒ、Ｇ、Ｂの各液晶に印加される実効電圧ＶＲｒｍｓ、ＶＧｒｍｓ、ＶＢｒｍｓの電圧値を調整しているので、簡単な回路構成で、Ｒ、Ｇ、Ｂの各各液晶に印加される実効電圧ＶＲｒｍｓ、実効電圧ＶＧｒｍｓ及び実効電圧ＶＢｒｍｓの電圧値を調整することができ、適切なカラー表示を行うことのできる液晶駆動装置を安価なものとすることができる。
・・・
【０１２３】以上、本発明者によってなされた発明を好適な実施例に基づき具体的に説明したが、本発明は上記実施例に限定されるものではなく、その要旨を逸脱しない範囲で種々変更可能であることはいうまでもない。
・・・
【０１２６】さらに、上記実施例においては、表示駆動信号のパルスの発生時期をずらせることにより、走査駆動信号Ｃｎとの間で液晶に印加される実効電圧Ｖｒｍｓのパルス幅を調整しているが、これに限るものではなく、表示駆動信号自体のパルス幅を調整してもよい。
【０１２７】また、上記実施例においては、実効電圧Ｖｒｍｓのパルス幅を制御することにより、液晶に印加される実効電圧Ｖｒｍｓの値を調整しているが、これに限るものではなく、表示駆動信号の電圧値を調整して、実効電圧Ｖｒｍｓの電圧値自体を調整してもよい。
【０１２８】【発明の効果】本発明によれば、Ｒ、Ｇ、Ｂの各画素をそれぞれ複数有し、かつ、該複数の各画素が、少なくとも一方が透明である一対の基板を具備する液晶表示パネルのＲ画素の第１の信号電極と、Ｇ画素の第２の信号電極と、Ｂ画素の第３の信号電極と、各画素の信号電極に対向する各走査電極と、に対して、所定の表示駆動信号と所定の走査駆動信号に基づく、所定の実効電圧を供給する場合において、電圧供給手段により、Ｒ、Ｇ、Ｂの各画素における透過率が、それぞれ等しい値になるような、それぞれ異なる実効電圧を供給する。
【０１２９】したがって、Ｒ、Ｇ、Ｂの各画素の透過率をそれぞれ等しい値に調整することができ、白の色度座標を適正な位置に調整して、白時のカラー表示を適切に行わせることができる。」
　
３．対比
　本願発明と刊行物１に記載された発明（以下、「引用発明」という）とを対比する。
（ア）上記記載事項から、刊行物１には、本願発明の「液晶駆動用の電極を備えた一対の基板間に液晶が封入されてなり、Ｒ、Ｇ、Ｂ信号に基づいて液晶を駆動し、Ｒ光成分、Ｇ光成分、Ｂ光成分の各透過率を制御することでカラー表示を行う液晶表示装置」に相当する技術的事項が記載されていることは明らかである。
　
（イ）刊行物１には、実施例として単純マトリックス電極の液晶表示装置が記載されているものの、【０００７】には「そこで、従来の液晶駆動装置は、例えば、
ＴＦＴ型液晶表示パネル
　そして、ＴＦＴ型液晶表示パネルが、画素毎に個別に形成されたマトリクス状の画素電極を有すること、及び、ＴＦＴとして多結晶シリコンを用いることは、ごく通常のことにすぎないことから、刊行物１には、本願発明の「マトリクス状に複数の画素を備える表示部と、該表示部の対応する前記画素に対し、表示内容に応じた駆動電圧信号を供給する表示部駆動回路とを備え、前記一対の基板の内の第１基板上に設けられる液晶駆動用の電極は、前記画素毎に個別に形成されたマトリクス状の画素電極であり、能動層に多結晶シリコン層を利用した多結晶シリコン薄膜トランジスタが、対応する前記画素電極に接続され、」に相当する技術的事項が記載されているものと認める。
　
（ウ）本願発明の「Ｒ用、Ｂ用、Ｇ用毎に存在する
前記駆動電圧信号の
　したがって、この点において、両者が相違するとはいえない。
（なお、仮に、上記「透過率最大電圧レベル」が、本願発明の図４に具体的に示されている事項であるとすると、刊行物１の図５とは異なることから、相違点になるとしても、刊行物１の図５において、透過率ＢＴに対応するＲ、Ｂ、Ｇの電圧値を選択すれば、本願発明の図４と同様となることから、この点は当業者が適宜設計し得る程度のことである。）
　そして、刊行物１には、「【００８５】そこで、本実施例では、液晶表示パネル１０の液晶の実効電圧Ｖｒｍｓ−透過率Ｔ曲線が、図５に示すように、Ｂ、Ｇ、Ｒの大きさの順（Ｂ＞Ｇ＞Ｒ）で異なる場合、透過率Ｔの最も低いＲの表示駆動信号ＳＲによる実効電圧Ｖｒｍｓの値を基準として、残りのＢ、Ｇの表示駆動信号ＳＧ、ＳＢによる実効電圧の値をＲの透過率Ｔとの差に応じて、小さくすることにより、オン時のＲ、Ｇ、Ｂの全ての透過率Ｔを同じに調整している。【００８６】すなわち、信号側駆動回路１は、そのＲ信号用駆動回路ＲＣにおいてＲの表示駆動信号ＳＲを電圧値とその出力タイミングを制御している。」と記載されていることから、実効電圧を制御することによりオン時のＲ、Ｇ、Ｂの全ての透過率Ｔを同じに調整することが記載されている。
　また、液晶表示装置において反転駆動を行う（すなわち、「非反転駆動電圧信号及び反転駆動電圧信号」を用いる。）ことは技術常識にすぎない。
　さらに、刊行物１には、「【０１２６】さらに、上記実施例においては、表示駆動信号のパルスの発生時期をずらせることにより、走査駆動信号Ｃｎとの間で液晶に印加される実効電圧Ｖｒｍｓのパルス幅を調整しているが、これに限るものではなく、表示駆動信号自体のパルス幅を調整してもよい。【０１２７】また、上記実施例においては、実効電圧Ｖｒｍｓのパルス幅を制御することにより、液晶に印加される実効電圧Ｖｒｍｓの値を調整しているが、
これに限るものではなく、表示駆動信号の電圧値を調整して、実効電圧Ｖｒｍｓの電圧値自体を調整してもよい。
駆動電圧の絶対値を
　結局、刊行物１には、本願発明の「該表示部駆動回路は、Ｒ用、Ｂ用、Ｇ用毎に存在する前記駆動電圧信号の液晶の最大透過率を達成する透過率最大電圧レベルを決定する非反転駆動電圧信号及び反転駆動電圧信号のそれぞれの最大絶対値レベルを、それぞれ、Ｒ用、Ｂ用、Ｇ用毎の透過率特性に応じて決まる電圧に制限する最大透過率電圧リミット手段を備え、前記最大透過率電圧リミット手段によって透過率最大電圧レベルの制限された前記非反転及び反転駆動電圧信号を所定周期毎に切り替えて前記表示部の対応する画素に供給する液晶表示装置」に相当する技術的事項が記載されているものと認める。
　
　上記考察（ア）〜（ウ）から、両者は、
「液晶駆動用の電極を備えた一対の基板間に液晶が封入されてなり、Ｒ、Ｇ、Ｂ信号に基づいて液晶を駆動し、Ｒ光成分、Ｇ光成分、Ｂ光成分の各透過率を制御することでカラー表示を行
う液
　
相違点：
　本願発明の液晶表示装置は、「電圧制御複屈折型」であるのに対して、引用発明は、実施例としてＳＴＮ型カラー液晶があげられてはいるが、これは電圧制御複屈折型とはいえない点。
　
４．判断
　上記相違点について検討すると、電圧制御複屈折型の液晶表示装置は、原査定の刊行物４〜６（特公平７−０６６１２４号公報、特開平６−９５１０４号公報、特開平６−２７３７７２号公報）に示されるように周知のことにすぎず、また電圧制御複屈折型液晶において、各色毎に電圧−透過特性が異なるとの課題も特開平３−２５９１７９号公報、特開平４−１６３４２７号公報にも見られるように周知のことにすぎないので、適用に当たっての困難性もないことから、相違点の事項とすることは、周知技術を引用発明に適用することにより当業者が容易になし得ることである。
　
　そして、本願発明によってもたらされる効果は、引用発明及び周知技術から当業者が予測し得る程度のものにすぎない。
　
　なお、請求人は、平成１６年１１月９日付けで、依然として拒絶査定の理由が解消されない場合には、補正の機会が欲しい、旨の上申書を提出している。　
　しかし、上記の申し出を受けることは、審理結果を事前に通知することになるばかりでなく、審判請求時に補正の機会が与えられているにもかかわらず、新たな補正の機会を与えることになり、このようなことは法律の想定するところではない。また、審判請求時に、原審における全ての拒絶理由を解消するように十分に検討して補正書を提出する通常の審判請求人に比し、公平さを欠くことにもなる。　
　よって、上記上申書の申し出は、受けることができない。
　
５．むすび
　したがって、本願発明は、引用発明及び周知技術に基づいて当業者が容易に発明をすることができたものであるから、特許法第２９条第２項の規定により特許を受けることができない。
　よって、結論のとおり審決する。